(57)【要約】【課題】インセル構成の表示パネルに設けられる外部接続端子の数を低減する。【解決手段】表示ドライバは、表示パネルのソース入力端子に接続されるソース出力端子と、ソース入力端子に供給するソース信号を生成するソースドライバ回路と、入力に接続された導電体の静電容量を検出するように構成された静電容量検出回路の該入力に接続される接続配線と、セレクタとを具備する。静電容量検出回路は、検出された静電容量を示し、表示パネルに物体が接触するタッチイベントの検出に用いられる静電容量データを生成する。セレクタは、ソース出力端子を、ソースドライバ回路と接続配線とを含む複数の接続先のうちのいずれかにソース出力端子を選択的に接続可能に構成されている。【選択図】図１
2018063666.tif 000002
【特許請求の範囲】
【請求項１】
複数のソース線と複数のソース入力端子とを備え、複数のソース線のそれぞれが前記複数のソース入力端子のうちのいずれかに接続されるように構成された表示パネルを駆動する表示ドライバであって、
前記表示パネルの前記ソース入力端子に接続されるソース出力端子と、
前記ソース入力端子に供給するソース信号を生成するソースドライバ回路と、
入力に接続された導電体の静電容量を検出するように構成された静電容量検出回路の前記入力に接続される接続配線と、
セレクタ
とを具備し、
前記静電容量検出回路は、検出された前記静電容量を示し、前記表示パネルに物体が接触するタッチイベントの検出に用いられる静電容量データを生成し、
前記セレクタは、前記ソース出力端子を、前記ソースドライバ回路と前記接続配線とを含む複数の接続先のうちのいずれかに前記ソース出力端子を選択的に接続可能に構成された
表示ドライバ。
【請求項２】
請求項１に記載の表示ドライバであって、
前記セレクタは、前記表示パネルの前記ソース入力端子に前記ソース信号を供給する駆動動作が行われるときに前記ソース出力端子を前記ソースドライバ回路に接続し、前記タッチイベントの検出が行われるときに前記ソース出力端子を前記接続配線に接続する
表示ドライバ。
【請求項３】
請求項１に記載の表示ドライバであって、
更に、前記静電容量検出回路を具備し、
前記静電容量検出回路と前記ソースドライバ回路と前記セレクタとが同一の半導体チップに集積化された
表示ドライバ。
【請求項４】
請求項３に記載の表示ドライバであって、
更に、前記静電容量データに基づいて前記タッチイベントの検出を行うコントローラを具備し、
前記コントローラと前記静電容量検出回路と前記ソースドライバ回路と前記セレクタとが同一の半導体チップに集積化された
表示ドライバ。
【請求項５】
請求項１に記載の表示ドライバであって、
前記表示パネルは、第１検出電極と第２検出電極とを含み、
前記静電容量検出回路は、前記第２検出電極に接続され、
当該表示ドライバは、更に、送信側ドライバを備え、
相互容量方式によって前記表示パネルに物体が接触するタッチイベントの検出を行う場合、前記送信側ドライバは、相互容量方式によって前記表示パネルに物体が接触するタッチイベントの検出を行う場合に前記第１検出電極に供給すべき駆動電圧を生成し、前記セレクタは、前記ソース出力端子を前記送信側ドライバに接続し、前記静電容量検出回路は、前記第１検出電極と前記第２検出電極の間の静電容量を検出して前記静電容量データを生成する
表示ドライバ。
【請求項６】
複数のソース線と、複数のソース入力端子とを備える表示パネルと、
前記複数のソース線に供給するソース信号を前記複数のソース入力端子に供給するソースドライバ回路と、
入力に接続された導電体の静電容量を検出し、検出した前記静電容量を示す静電容量データを生成する静電容量検出回路と、
前記静電容量データに基づいて前記表示パネルに物体が接触するタッチイベントの検出を行うコントローラと、
セレクタ
とを備え、
前記セレクタは、前記複数のソース入力端子のそれぞれを、前記ソースドライバ回路と前記静電容量検出回路の入力とを含む複数の接続先に選択的に接続可能に構成された
表示装置。
【請求項７】
請求項６に記載の表示装置であって、
前記表示パネルが、更に、
複数の共通電極と、
前記複数の共通電極の各共通電極と、前記複数のソース入力端子のうちの前記各共通電極に対応する少なくとも一の対応ソース入力端子との間に接続された第１スイッチ
とを備え、
前記ソース信号を前記ソース線に供給する駆動動作が行われる場合、前記セレクタが前記複数のソース入力端子を前記ソースドライバ回路に接続し、前記第１スイッチが前記各共通電極と前記複数のソース入力端子とを電気的に切り離し、
前記タッチイベントの検出が行われる場合、前記セレクタが前記複数のソース入力端子を前記静電容量検出回路の入力に接続し、前記第１スイッチが前記各共通電極と前記対応ソース入力端子とを電気的に接続する
表示装置。
【請求項８】
請求項７に記載の表示装置であって、
前記複数のソース線は、前記複数のソース入力端子に一対一に接続されており、
前記第１スイッチは、前記対応ソース入力端子に接続されたソース線の前記複数のソース入力端子に近い第１端に接続され、
前記表示パネルが、更に、前記各共通電極に対応する前記対応ソース入力端子に接続されたソース線の前記複数のソース入力端子から離れた第２端と前記各共通電極との間に接続された第２スイッチを備え、
前記駆動動作が行われる場合、前記第２スイッチが、前記各共通電極に対応する前記対応ソース入力端子に接続されたソース線と前記各共通電極とを電気的に切り離し、
前記タッチイベントの検出が行われる場合、前記第２スイッチが、前記各共通電極に対応する前記対応ソース入力端子に接続されたソース線と前記各共通電極とを電気的に接続する
表示装置。
【請求項９】
請求項７又は８に記載の表示装置であって、
更に、共通電圧を生成する共通電圧生成回路を具備し、
前記表示パネルが、更に、
前記共通電圧を前記共通電圧生成回路から受け取る共通電圧入力端子と、
前記共通電圧入力端子と前記複数の共通電極との間にそれぞれに接続された第３スイッチ
とを備え、
前記駆動動作が行われる場合、前記第３スイッチが、前記複数の共通電極と前記共通電圧入力端子とを電気的に接続し、
前記タッチイベントの検出が行われる場合、前記第３スイッチが、前記複数の共通電極と前記共通電圧入力端子とを電気的に切り離す
表示装置。
【請求項１０】
請求項７に記載の表示装置であって、
前記複数のソース入力端子のそれぞれに前記複数のソース線のうちの複数の対応ソース線が対応しており、
前記表示パネルが、更に、前記複数のソース入力端子の各ソース入力端子と、前記各ソース入力端子に対応する前記複数の対応ソース線の間に接続された複数の第４スイッチ
を具備し、
前記駆動動作が行われる場合、前記各ソース入力端子と前記複数の対応ソース線の間に接続された前記複数の第４スイッチが時分割的にターンオンされる
表示装置。
【請求項１１】
請求項７に記載の表示装置であって、
前記複数の共通電極が、複数の行及び複数の列に並んで配置されている
表示装置。
【請求項１２】
請求項１１に記載の表示装置であって、
前記表示パネルが、更に、前記ソース線が延伸する方向に延伸する複数の接続ラインを備え、
前記各共通電極は、前記複数の接続ラインのそれぞれが、前記複数の共通電極のうちの単一の共通電極に接続されるように、前記複数の接続ラインのうちの少なくとも一に接続され、
前記各共通電極と前記対応ソース入力端子の間に接続された前記第１スイッチが、前記複数の接続ラインのうち前記各共通電極が接続された接続ラインと前記対応ソース入力端子の間に接続されている
表示装置。
【請求項１３】
請求項１２に記載の表示装置であって、
前記表示ドライバが、更に、共通電圧を生成する共通電圧生成回路を具備し、
前記表示パネルが、更に、
前記共通電圧を前記共通電圧生成回路から受け取る共通電圧入力端子と、
前記共通電圧入力端子と前記複数の接続ラインとの間にそれぞれに接続された第３スイッチ
とを備え、
前記駆動動作が行われる場合、前記第３スイッチが、前記複数の共通電極と前記共通電圧入力端子とを電気的に接続し、
前記タッチイベントの検出が行われる場合、前記第３スイッチが、前記複数の共通電極と前記共通電圧入力端子とを電気的に切り離す
表示装置。
【請求項１４】
請求項１２又は１３に記載の表示装置であって、
前記複数のソース入力端子のそれぞれに前記複数のソース線のうちの複数の対応ソース線が対応しており、
前記表示パネルが、更に、前記複数のソース入力端子の各ソース入力端子と、前記各ソース入力端子に対応する前記複数の対応ソース線の間に接続された複数の第４スイッチ
を具備し、
前記駆動動作が行われる場合、前記各ソース入力端子と前記複数の対応ソース線の間に接続された前記複数の第４スイッチが時分割的にターンオンされる
表示装置。
【請求項１５】
複数のソース線と、
表示ドライバから前記複数のソース線に供給されるソース信号を受け取る複数のソース入力端子と、
複数の共通電極と、
前記複数の共通電極の各共通電極と、前記複数のソース入力端子のうちの前記各共通電極に対応する少なくとも一の対応ソース入力端子との間に接続された第１スイッチ
とを具備する
表示パネル。
【請求項１６】
請求項１５に記載の表示パネルであって、
前記複数のソース線は、前記複数のソース入力端子に一対一に接続されており、
前記第１スイッチは、前記対応ソース入力端子に接続されたソース線の前記複数のソース入力端子に近い第１端に接続され、
当該表示パネルが、更に、
前記各共通電極に対応する前記対応ソース入力端子に接続されたソース線の前記複数のソース入力端子から離れた第２端と前記各共通電極との間に接続された第２スイッチを備える
表示パネル。
【請求項１７】
請求項１５又は１６に記載の表示パネルであって、
更に、
共通電圧を表示ドライバから受け取る共通電圧入力端子と、
前記共通電圧入力端子と前記複数の共通電極との間にそれぞれに接続された第３スイッチ
とを備える
表示装置。
【請求項１８】
請求項１５乃至１７のいずれかに記載の表示パネルであって、
前記複数のソース入力端子のそれぞれに前記複数のソース線のうちの複数の対応ソース線が対応しており、
当該表示パネルが、更に、前記複数のソース入力端子の各ソース入力端子と、前記各ソース入力端子に対応する前記複数の対応ソース線の間に接続された複数の第４スイッチ
を具備する
表示パネル。
【請求項１９】
請求項１５乃至１８のいずれかに記載の表示パネルであって、
前記複数の共通電極が、複数の行及び複数の列に並んで配置されている
表示パネル。
【請求項２０】
請求項１９に記載の表示パネルであって、
更に、前記ソース線が延伸する方向に延伸する複数の接続ラインを備え、
前記複数の共通電極のそれぞれは、前記複数の接続ラインのそれぞれが、前記複数の共通電極のうちの単一の共通電極に接続されるように、前記複数の接続ラインのうちの少なくとも一に接続され、
前記各共通電極と前記対応ソース入力端子の間に接続された前記第１スイッチが、前記複数の接続ラインのうち前記各共通電極が接続された接続ラインと前記対応ソース入力端子の間に接続されている
表示パネル。
【発明の詳細な説明】
【技術分野】
【０００１】
本発明は、表示ドライバ、表示装置及び表示パネルに関し、特に、タッチイベントの検出が行われる表示装置、及び、それに用いられる表示ドライバ及び表示パネルに関する。
【背景技術】
【０００２】
近年の表示装置は、表示パネルへの物体（典型的にはユーザの指）の接触、即ち、タッチイベントを検出するように構成されることがある。例えば、スマートフォンやタブレットのようにユーザが表示画面を触れることによって操作される端末に搭載される表示装置は、タッチイベントの検出を行うように構成される。
【０００３】
タッチイベントの検出を行う方法の一つが、静電容量方式である。静電容量方式では、電極に導電体（例えば、ユーザの指）が近接すると当該電極の容量が変化することを利用して物体がタッチパネルに接触した位置の検出を行う。静電容量方式には、個別の検出電極の静電容量を検出する自己容量方式と、送信電極と受信電極との間の静電容量を検出する相互容量方式とがある。
【０００４】
静電容量方式によってタッチイベントの検出を行う表示装置の典型的な構成の一つは、タッチイベント検出に用いられる電極（以下、「タッチ検出電極」ということがある。）を備えているタッチパネルを表示パネルの前面に設ける構成である。しかしながら、このような構成では、表示装置の体積が増大することから、タッチ検出電極を表示パネルに埋め込むインセル(In-Cell)構成の検討が進められている。特に、液晶表示パネルについては、共通電極（対向電極）をタッチ検出電極として用いる構成が検討されている。
【０００５】
インセル構成の表示パネルには、表示パネルに設けられる外部接続端子の数が増大するという問題が生じ得る。インセル構成の表示パネルでは、タッチ検出電極の静電容量を検出するために、タッチ検出電極のそれぞれに接続されている外部接続端子を設ける必要がある。これは、表示パネルに設けられる外部接続端子の数が増大することを意味しており、表示パネルの実装における問題を生じさせ得る。
【０００６】
この問題は、タッチイベントの検出に用いられるタッチコントローラと表示パネルのソース線を駆動するソースドライバ回路とが同一チップに集積化されたタッチコントローラ内蔵表示ドライバを使用する場合に特に重大になり得る。インセル構成の表示パネルを用いる場合、表示パネルに設けられる外部接続端子の数が増大すると、表示パネルに接続すべきタッチコントローラ内蔵表示ドライバの出力パッドの数も増大してしまう。これは、タッチコントローラ内蔵表示ドライバのコストを増加させ得る。
【０００７】
このように、インセル構成の表示パネルに設けられる外部接続端子の数の低減には、技術的なニーズが存在する。
【０００８】
なお、本発明に関連し得る技術として、特開２０１５−２２５３８１号公報は、自己容量方式と相互容量方式との両方に対応したタッチ検出回路を開示している。
【先行技術文献】
【特許文献】
【０００９】
【特許文献１】特開２０１５−２２５３８１号公報
【特許文献２】国際公開ＷＯ２０１３／１０００８８Ａ１
【発明の概要】
【発明が解決しようとする課題】
【００１０】
したがって、本発明の目的は、インセル構成の表示パネルに設けられる外部接続端子の数を低減することにある。本発明の他の目的は、以下の開示から当業者には理解されるであろう。
【課題を解決するための手段】
【００１１】
本発明の一の観点では、複数のソース線と複数のソース入力端子とを備え、複数のソース線のそれぞれが複数のソース入力端子のうちのいずれかに接続されるように構成された表示パネルを駆動する表示ドライバが提供される。当該表示ドライバは、表示パネルのソース入力端子に接続されるソース出力端子と、ソース入力端子に供給するソース信号を生成するソースドライバ回路と、入力に接続された導電体の静電容量を検出するように構成された静電容量検出回路の入力に接続される接続配線と、セレクタとを具備する。静電容量検出回路は、検出された静電容量を示し、表示パネルに物体が接触するタッチイベントの検出に用いられる静電容量データを生成する。セレクタは、ソース出力端子を、ソースドライバ回路と接続配線とを含む複数の接続先のうちのいずれかにソース出力端子を選択的に接続可能に構成されている。
【００１２】
本発明の他の観点では、複数のソース線と、複数のソース入力端子とを備える表示パネルと、複数のソース線に供給するソース信号を複数のソース入力端子に供給するソースドライバ回路と、入力に接続された導電体の静電容量を検出し、検出した静電容量を示す静電容量データを生成する静電容量検出回路と、静電容量データに基づいて表示パネルに物体が接触するタッチイベントの検出を行うコントローラと、セレクタとを備えている。セレクタは、複数のソース入力端子のそれぞれを、ソースドライバ回路と静電容量検出回路の入力とを含む複数の接続先に選択的に接続可能に構成されている。
【００１３】
本発明の更に他の観点では、表示パネルが、複数のソース線と、表示ドライバから複数のソース線に供給されるソース信号を受け取る複数のソース入力端子と、複数の共通電極と、複数の共通電極の各共通電極と、複数のソース入力端子のうちの各共通電極に対応する少なくとも一の対応ソース入力端子との間に接続された第１スイッチとを具備する。
【発明の効果】
【００１４】
本発明によれば、インセル構成の表示パネルに設けられる外部接続端子の数を低減することができる。
【図面の簡単な説明】
【００１５】
【図１】一実施形態の表示装置の構成を概略的に示すブロック図である。
【図２】一実施形態における表示パネルの構成を概略的に示す断面図である。
【図３】該表示パネルの構成を概略的に示す平面図である。
【図４】一実施形態における表示装置の構成の詳細を示す図である。
【図５】一実施形態における表示パネルの構成の詳細を示す図である。
【図６】他の実施形態における表示装置の構成を示す図である。
【図７】更に他の実施形態における表示装置の構成を示す図である。
【図８】更に他の実施形態における表示装置の構成を示す図である。
【図９】更に他の実施形態における表示装置の構成を示す図である。
【図１０】更に他の実施形態における表示装置の構成を示す図である。
【図１１】図１０の表示装置の表示パネルの構成の詳細を示す図である。
【図１２】更に他の実施形態における表示装置の構成を示す図である。
【図１３】図１２の表示装置の表示パネルの構成の詳細を示す図である。
【図１４】更に他の実施形態における表示パネルの構成を示す図である。
【図１５】図１４に図示されている表示パネルを備える表示装置の構成を示す図である。
【図１６】更に他の実施形態における表示装置の構成を示す図である。
【図１７】図１６の表示装置の表示パネルの構成の詳細を示す図である。
【図１８】更に他の実施形態における表示装置の構成を示す図である。
【図１９】図１８の表示装置の表示パネルの構成の詳細を示す図である。
【発明を実施するための形態】
【００１６】
以下、添付図面を参照しながら本発明の様々な実施形態を説明する。なお、以下において、同一又は類似の構成要素は、同一又は対応する参照番号によって参照する。
【００１７】
図１は、一実施形態の表示装置１の構成を概略的に示すブロック図である。なお、図１は、表示装置１の構成の概念を図示するものであり、図１に図示されている配置は、表示装置１の各構成要素の空間的配置とは必ずしも一致しないことに留意されたい。
【００１８】
本実施形態では、表示装置１が、表示パネル２と、表示ドライバ３とを備えている。表示パネル２としては、例えば、液晶表示パネル、ＯＬＥＤ（organic light emitting diode）表示パネルが使用され得る。
【００１９】
表示パネル２は、表示回路１１と、ゲートドライバ回路１２とを備えている。表示回路１１は、画像を表示するための回路群、例えば、複数のソース線と、複数のゲート線と、ソース線とゲート線との交差する位置のそれぞれに設けられた画素回路とを備える。画素回路は、様々に構成され得る。液晶表示パネルにおいては、画素回路は、例えば、ＴＦＴ（thin film transistor）で形成された選択トランジスタ、画素電極及び保持容量を含んでいる。一方、ＯＬＥＤ表示パネルにおいては、画素回路は、例えば、ＴＦＴ（thin film transistor）で形成された選択トランジスタ、駆動トランジスタ、保持容量、有機発光ダイオード素子を含んでいる。表示パネル２には、ソース入力端子１３が設けられている。ソース入力端子１３は、表示ドライバ３からソース信号を受け取るために用いられる外部入力端子である。ソース入力端子１３に入力されたソース信号が、表示回路１１のソース線を介して各画素回路に供給され、これにより、表示パネル２の表示回路１１が形成されている領域に画像が表示される。
【００２０】
表示パネル２は、いわゆるインセル（In-cell）構成を有しており、表示パネル２への物体の接触、即ち、タッチイベントの検出を行うために、タッチ検出電極群１４とスイッチ回路１５とが設けられている。後に詳細に説明するように、タッチ検出電極群１４に含まれるタッチ検出電極それぞれの静電容量が検出され、各タッチ検出電極の静電容量に基づいて表示パネル２に物体が接触した位置の検出が行われる。スイッチ回路１５は、表示ドライバ３から受け取った制御信号に応答して、ソース入力端子１３とタッチ検出電極群１４とを電気的に接続し、又は、切り離す。詳細には、スイッチ回路１５は、表示回路１１の各画素回路を駆動する動作（駆動動作）においては、タッチ検出電極群１４をソース入力端子１３から電気的に切り離し、タッチイベントの検出を行う動作（タッチ検出動作）においては、タッチ検出電極群１４がソース入力端子１３に電気的に接続される。後に詳細に議論するように、このような構成は、ソース入力端子１３を介してタッチ検出電極群１４へのアクセスを可能にするので、表示パネル２に設けられる外部入力端子の数を低減するために有効である。
【００２１】
表示ドライバ３は、外部から（例えば、ホストから）受け取った画像データ及び制御データに応答して表示パネル２を駆動する。表示ドライバ３は、表示パネル２のソース入力端子１３に接続されるソース出力端子３１を有しており、表示パネル２の表示回路１１のソース線に供給すべきソース信号をソース出力端子３１から出力するように構成されている。加えて、表示ドライバ３は、ゲートドライバ回路１２を制御するゲート制御信号及びスイッチ回路１５を制御するスイッチ制御信号を出力するように構成されている。
【００２２】
また、表示ドライバ３は、タッチ検出電極群１４に含まれるタッチ検出電極それぞれの静電容量を検出し、検出した静電容量に基づいてタッチイベントの検出を行うように構成されている。即ち、本実施形態では、表示ドライバ３が、タッチイベントの検出を行うタッチコントローラとしても動作する。このような表示ドライバは、しばしば、タッチコントローラ内蔵表示ドライバと呼ばれる。
【００２３】
詳細には、表示ドライバ３は、パネルインタフェース回路３２と、ソースドライバ回路３３と、タッチ検出回路３４と、セレクタ３５と、コントローラ３７とを備えている。
【００２４】
パネルインタフェース回路３２は、ゲートドライバ回路１２に供給するゲート制御信号を生成する。
【００２５】
ソースドライバ回路３３は、表示パネル２の表示回路１１の各ソース線に供給するソース信号を生成する。ソースドライバ回路３３の出力は、接続配線３３ａを介してセレクタ３５に接続されている。
【００２６】
タッチ検出回路３４は、タッチイベントの検出のための動作を行う回路部である。タッチ検出回路３４は、入力に接続された導電体の静電容量を検出する静電容量検出回路を備えており、タッチ検出回路３４の入力（即ち、該静電容量検出回路の入力）は、接続配線３４ａを介してセレクタ３５に接続されている。スイッチ回路１５及びセレクタ３５を介してタッチ検出回路３４の入力にタッチ検出電極群１４が接続されると、タッチ検出回路３４は、静電容量検出回路によってタッチ検出電極群１４の各タッチ検出電極の静電容量を検出し、検出した静電容量を示す静電容量データを生成する。タッチ検出回路３４は、該静電容量データに基づいて（即ち、静電容量検出回路によって検出された静電容量に基づいて）タッチイベントの検出を行う。加えて、タッチ検出回路３４は、タッチイベント検出の動作を制御するための制御信号を生成し、表示パネル２のスイッチ回路１５及び表示ドライバ３のセレクタ３５に供給する。
【００２７】
セレクタ３５は、タッチ検出回路３４から供給される制御信号に応じて、ソース出力端子３１をソースドライバ回路３３の出力又はタッチ検出回路３４の入力に選択的に接続する（言い換えれば、制御信号に応じてソース出力端子３１を接続配線３３ａ又は接続配線３４ａに選択的に接続する）ように構成されている。
【００２８】
図１の表示装置１は、下記のように動作する。表示回路１１の各画素回路を駆動する駆動動作が行われる場合、表示パネル２においてスイッチ回路１５がタッチ検出電極群１４をソース入力端子１３から電気的に切り離し、表示ドライバ３においてセレクタ３５がソースドライバ回路３３の出力をソース出力端子３１に接続する。ソースドライバ回路３３は、セレクタ３５及びソース出力端子３１を介して表示回路１１のソース線にソース信号を供給し、これにより、表示回路１１の各画素回路を駆動する。
【００２９】
一方、タッチイベント検出が行われる場合、表示パネル２においてスイッチ回路１５がタッチ検出電極群１４をソース入力端子１３に電気的に接続し、表示ドライバ３においてセレクタ３５がソース出力端子３１をタッチ検出回路３４の入力に接続する。これにより、タッチ検出電極群１４がスイッチ回路１５及びセレクタ３５を介してタッチ検出回路３４の入力に接続される。タッチ検出回路３４は、タッチ検出電極群１４の各タッチ検出電極の静電容量を検出し、タッチ検出回路３４によって検出された静電容量に基づいてタッチイベントの検出、例えば、表示パネル２に物体（典型的には、人の指）が接触している位置の検出が行われる。
【００３０】
本実施形態の表示装置１では、表示パネル２に含まれるタッチ検出電極群１４が、スイッチ回路１５、ソース入力端子１３及びセレクタ３５を介してタッチ検出回路３４に接続可能なので、タッチ検出電極群１４とタッチ検出回路３４とを接続するための専用の外部接続端子を表示パネル２に設ける必要がない。したがって、表示パネル２の外部接続端子の数を低減することができる。
【００３１】
以下では、表示装置１のより具体的な構成例について説明する。以下に述べられる構成例では、表示パネル２として、タッチ検出電極が内蔵された液晶表示パネル（即ち、インセル構成の液晶表示パネル）が用いられる。以下、表示装置１の様々な構成例について説明する。
【００３２】
図２は、一実施形態における表示パネル２の構成を概略的に示す断面図であり、図３は、表示パネル２の構成を概略的に示す平面図である。以下の説明においては、ＸＹＺ直交座標系が導入される。Ｘ軸方向は、表示パネル２のゲート線が延伸する方向であり、Ｙ軸方向は、ソース線が延伸する方向であり、Ｚ軸方向は、表示パネル２の厚さ方向である。
【００３３】
図２を参照して、表示パネル２は、インセル構成の液晶表示パネルとして構成されており、ＴＦＴ（thin film transistor）基板４１と、対向基板４２とを備えている。対向基板４２は、ＴＦＴ基板４１と互いに対向するように配置され、ＴＦＴ基板４１と対向基板４２との間には液晶４３が満たされる。
【００３４】
ＴＦＴ基板４１は、ガラス基板４４と、その上に集積化された半導体回路４５とを備えている。半導体回路４５は、上述された表示回路１１、ゲートドライバ回路１２と、スイッチ回路１５とを含んでいる（ただし、図２、図３には図示されない）。加えて、本実施形態では、半導体回路４５が、複数の共通電極１６を含んでいる。図３に図示されているように、共通電極１６は、Ｘ軸方向に並んで配置されており、それぞれがＹ軸方向に延伸するように形成されている。ＴＦＴ基板４１に共通電極１６が形成される構成は、例えば、国際公開ＷＯ２０１３／１０００８８Ａ１（特許文献２）に開示されているように、当業者に周知であることに留意されたい。
【００３５】
本実施形態では、表示パネル２が、インセル構成の液晶表示パネルとして構成されていうる。より具体的には、対向基板４２が、複数のＹ検出電極４６を含んでいる。図３に図示されているように、Ｙ検出電極４６は、それぞれがＸ軸方向に延伸するように形成されており、複数のＹ検出電極４６がＹ軸方向に並んで配置されている。Ｙ検出電極４６は、表示パネル２に物体が接触したＹ軸方向の位置を検出するために用いられる。表示ドライバ３は、Ｙ検出電極４６のそれぞれの静電容量を検出し、検出した静電容量に基づいて表示パネル２に物体が接触したＹ軸方向の位置を検出するように構成される。
【００３６】
加えて、共通電極１６が、各画素回路による液晶４３の駆動のみならず、表示パネル２に物体が接触したＸ軸方向の位置を検出するために用いられる。即ち、共通電極１６は、図１に図示されている構成のタッチ検出電極群１４のタッチ検出電極としても用いられる。表示ドライバ３は、共通電極１６に共通電圧ＶＣＯＭを供給すると共に、共通電極１６のそれぞれの静電容量を検出し、検出した静電容量に基づいて表示パネル２に物体が接触したＹ軸方向の位置を検出するように構成される。なお、対向基板４２は、更に他の構成要素、例えば、カラーフィルター及び偏光板を含み得るが、図２、図３には図示されていない。
【００３７】
図４は、本実施形態における表示装置１の構成の詳細を示す図である。
【００３８】
上述のように、表示パネル２は、表示回路１１と、ゲートドライバ回路１２（図４には図示されない）と、スイッチ回路１５とを備えている。図４には、表示回路１１に含まれる構成要素のうち、共通電極１６及びソース線１７のみが図示されている。ソース線１７は、共通電極１６より下方（即ち、共通電極１６とガラス基板４４の間）に位置しており、このため、図４においては、ソース線１７の共通電極１６の背後に位置する部分が破線で示されている。
【００３９】
図５は、図４の表示パネル２の拡大図である。図４の構成では、ソース線１７は、ソース入力端子１３に一対一で対応しており、ソース線１７は、ソース入力端子１３にそれぞれに接続されている。スイッチ回路１５は、ソース入力端子１３にそれぞれに接続されたスイッチ１８を有している。本実施形態では、各共通電極１６は、複数のソース線１７に対応しており（即ち、各共通電極１６の下方に複数のソース線１７が配置されており）、各共通電極１６は、対応するソース線１７に接続されているソース入力端子１３にスイッチ１８を介して接続されている。スイッチ回路１５は、表示ドライバ３に近い位置（表示ドライバ３と共通電極１６の間の位置）に設けられており、スイッチ回路１５の各スイッチ１８は、対応するソース線１７のソース入力端子１３に近い方の端に接続されている。
【００４０】
表示パネル２は、更に、スイッチ回路１９と、ＶＣＯＭ入力端子（共通電圧入力端子）２０と、ＶＣＯＭスイッチ回路２１、２２と、スイッチ制御端子２３と、インバータ２４、２５とを備えている。
【００４１】
スイッチ回路１９は、各共通電極１６を、それに対応するソース線１７に電気的に接続する機能を有している。スイッチ回路１９は、表示ドライバ３から離れた位置（共通電極１６を挟んで表示ドライバ３に対して反対の位置）に設けられている。図５に図示されているように、スイッチ回路１９は、各共通電極１６と、それに対応するソース線１７の間に接続されたスイッチ２６を備えている。スイッチ回路１９の各スイッチ２６は、対応するソース線１７のソース入力端子１３から離れている方の端に接続されている。
【００４２】
ＶＣＯＭ入力端子２０とＶＣＯＭスイッチ回路２１、２２は、表示ドライバ３から受け取った共通電圧ＶＣＯＭを各共通電極１６に供給する機能を有している。詳細には、ＶＣＯＭ入力端子２０は、表示ドライバ３から共通電圧ＶＣＯＭを受け取る。ＶＣＯＭスイッチ回路２１、２２は、ＶＣＯＭ入力端子２０を各共通電極１６に電気的に接続し、又は、電気的に切り離す。ＶＣＯＭスイッチ回路２１は、各共通電極１６の−Ｙ方向の端とＶＣＯＭ入力端子２０の間に接続されたスイッチ２７を有しており、ＶＣＯＭスイッチ回路２２は、各共通電極１６の＋Ｙ方向の端とＶＣＯＭ入力端子２０の間に接続されたスイッチ２８を有している。ＶＣＯＭスイッチ回路２１は、表示ドライバ３に近い位置（表示ドライバ３と共通電極１６の間の位置）に設けられているのに対し、ＶＣＯＭスイッチ回路２２は、表示ドライバ３から離れた位置（共通電極１６を挟んで表示ドライバ３に対して反対の位置）に設けられている。
【００４３】
スイッチ制御端子２３及びインバータ２４、２５は、スイッチ回路１５、１９及びＶＣＯＭスイッチ回路２１、２２を制御するために用いられる。スイッチ制御端子２３は、表示ドライバ３からスイッチ制御信号ｔｏｕｃｈ＿ｓｅｌを受け取り、スイッチ回路１５、１９に供給する。インバータ２４、２５は、スイッチ制御信号ｔｏｕｃｈ＿ｓｅｌの反転信号を生成し、生成した反転信号をＶＣＯＭスイッチ回路２１、２２のスイッチ２７、２８に供給する。スイッチ回路１５、１９のスイッチ１８、２６と、ＶＣＯＭスイッチ回路２１、２２のスイッチ２７、２８とは、スイッチ制御信号ｔｏｕｃｈ＿ｓｅｌに応じて排他的にターンオンされる。詳細には、スイッチ制御信号ｔｏｕｃｈ＿ｓｅｌがアサートされると、スイッチ回路１５、１９のスイッチ１８、２６がターンオンされ、ＶＣＯＭスイッチ回路２１、２２のスイッチ２７、２８がターンオフされる。一方、スイッチ制御信号ｔｏｕｃｈ＿ｓｅｌがネゲートされると、スイッチ回路１５、１９のスイッチ１８、２６がターンオフされ、ＶＣＯＭスイッチ回路２１、２２のスイッチ２７、２８がターンオンされる。
【００４４】
図４を再度に参照して、表示ドライバ３は、ソース出力端子３１と、パネルインタフェース回路３２と、ソースドライバ回路３３と、セレクタ３５と、静電容量検出回路３６と、コントローラ３７とを備えている。ただし、パネルインタフェース回路３２は、図４には図示されていない。ソース出力端子３１と、パネルインタフェース回路３２と、ソースドライバ回路３３と、セレクタ３５と、静電容量検出回路３６と、コントローラ３７とは、モノリシックに（即ち、同一の半導体チップに）集積化されている。
【００４５】
静電容量検出回路３６とコントローラ３７とは、図１の構成のタッチ検出回路３４に対応する構成要素である。静電容量検出回路３６の入力は、セレクタ３５に接続されている。図４の構成では、静電容量検出回路３６が、Ｙ検出電極４６に接続される入力も備えている。静電容量検出回路３６は、その入力に接続された導電体の静電容量を示す静電容量データを生成するように構成されている。共通電極１６がセレクタ３５を介して静電容量検出回路３６の入力に接続されると、共通電極１６の静電容量を検出する。加えて、静電容量検出回路３６は、Ｙ検出電極４６の静電容量及び共通電極１６とＹ検出電極４６の間に形成された静電容量も検出するように構成されている。コントローラ３７は、表示ドライバ３の動作、特に、表示パネル２のソース線１７を駆動する動作と、タッチイベントを検出する動作を制御する。タッチイベントの検出においては、コントローラ３７は、静電容量検出回路３６から受け取った静電容量データに基づいて（即ち、静電容量検出回路３６によって検出された静電容量に基づいて）、表示パネル２に物体が接触した位置を算出する。
【００４６】
加えて、図４の構成では、表示ドライバ３は、送信側ドライバ３８とＶＣＯＭアンプ３９とを備えている。送信側ドライバ３８は、相互容量方式でタッチイベントの検出を行う場合に用いられる。相互容量方式でタッチイベントの検出を行う場合、共通電極１６が送信側電極として用いられ、Ｙ検出電極４６が受信側電極として用いられる。送信側ドライバ３８は、相互容量方式でタッチイベントの検出を行うときに送信側電極として用いられる共通電極１６を駆動する。ＶＣＯＭアンプ３９は、共通電圧ＶＣＯＭを発生し、発生した共通電圧ＶＣＯＭを表示パネル２のＶＣＯＭ入力端子２０に供給する共通電圧生成回路として動作する。
【００４７】
図４の構成では、セレクタ３５が、ソース出力端子３１を、３つの接続先：ソースドライバ回路３３、静電容量検出回路３６、及び、送信側ドライバ３８のうちのいずれかに選択的に接続する動作を行うことに留意されたい。
【００４８】
続いて、図４、図５に図示されている構成の表示装置１の動作について説明する。図４に図示されている表示装置１は、３つの動作：（１）表示回路１１の各画素回路を駆動する駆動動作、（２）自己容量方式によるタッチイベントの検出、及び、（３）相互容量方式によるタッチイベントの検出に対応している。以下、それぞれの動作について説明する。
【００４９】
駆動動作が行われる場合、表示装置１の表示ドライバ３は、下記のように動作する。表示ドライバ３のコントローラ３７は、スイッチ制御信号ｔｏｕｃｈ＿ｓｅｌをネゲートする。スイッチ制御信号ｔｏｕｃｈ＿ｓｅｌのネゲートに応答して、ＶＣＯＭスイッチ回路２１、２２の各スイッチ２７、２８がターンオンされ、スイッチ回路１５、１９の各スイッチ１８、２６がターンオフされる。これにより、各共通電極１６がＶＣＯＭアンプ３９に接続される。ＶＣＯＭアンプ３９は、各共通電極１６に共通電圧ＶＣＯＭを供給する。一方、セレクタ３５は、コントローラ３７による制御の下、ソース出力端子３１をソースドライバ回路３３の出力に接続する。これにより、表示パネル２の各ソース線１７がソースドライバ回路３３の出力に接続される。ソースドライバ回路３３は、セレクタ３５を介してソース出力端子３１からソース信号を表示パネル２の各ソース線１７に供給する。このような動作により、表示回路１１の各画素回路が駆動される。
【００５０】
一方、自己容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、スイッチ回路１５、１９の各スイッチ１８、２６がターンオンされ、ＶＣＯＭスイッチ回路２１、２２の各スイッチ２７、２８がターンオフされる。これにより、表示パネル２において各共通電極１６がソース入力端子１３に接続される。一方、セレクタ３５は、コントローラ３７による制御の下、ソース出力端子３１を静電容量検出回路３６の入力に接続する。これにより、表示パネル２の各共通電極１６が静電容量検出回路３６の入力に接続される。静電容量検出回路３６は、各共通電極１６の静電容量と各Ｙ検出電極４６の静電容量を検出し、検出した静電容量を示す静電容量データを生成する。コントローラ３７は、静電容量検出回路３６から受け取った静電容量データに基づいてタッチイベントの検出を行う。より具体的には、コントローラ３７は、各共通電極１６の静電容量に基づいて表示パネル２に物体が接触したＸ軸方向における位置を算出し、各Ｙ検出電極４６の静電容量に基づいて、表示パネル２に物体が接触したＹ軸方向における位置を算出する。
【００５１】
また、相互容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、スイッチ回路１５、１９の各スイッチ１８、２６がターンオンされ、ＶＣＯＭスイッチ回路２１、２２の各スイッチ２７、２８がターンオフされる。これにより、表示パネル２において各共通電極１６がソース入力端子１３に接続される。一方、セレクタ３５は、コントローラ３７による制御の下、ソース出力端子３１を送信側ドライバ３８の出力に接続する。送信側ドライバ３８は、セレクタ３５を介してソース出力端子３１から駆動電圧を表示パネル２の各共通電極１６に供給して各共通電極１６を駆動する。静電容量検出回路３６は、各共通電極１６と各Ｙ検出電極４６の間の静電容量を検出し、静電容量データを生成する。コントローラ３７は、静電容量検出回路３６から受け取った静電容量データに示されている各共通電極１６と各Ｙ検出電極４６の間の静電容量に基づいて、表示パネル２に物体が接触した位置を算出する。
【００５２】
図４に図示されている表示装置１の構成では、共通電極１６とタッチ検出回路３４とを接続するための専用の外部接続端子を表示パネル２に設ける必要がない。したがって、共通電極１６をタッチ検出電極として用いる構成の表示パネル２の外部接続端子の数を低減することができる。
【００５３】
なお、図４に図示されている表示装置１は、必ずしも、相互容量方式によるタッチイベント検出を行うように構成されなくてもよい。この場合、送信側ドライバ３８を表示ドライバ３に設ける必要は無い。
【００５４】
図４に図示されている構成では、表示ドライバ３が、タッチイベントの検出に用いられる回路群（例えば、静電容量検出回路３６及び送信側ドライバ３８）と、ソース線１７の駆動に用いられる回路群（例えば、ソースドライバ回路３３）の両方を備えているが、タッチイベントの検出に用いられる回路群の少なくとも一部が、表示ドライバ３とは別の半導体チップに集積化されてもよい。図６、図７は、このような構成の表示装置１を示している。
【００５５】
図６は、表示装置１が、表示ドライバ３とは別に外部タッチコントローラ６１を備えている構成を図示している。図６の構成では、静電容量検出回路６２と送信側ドライバ６３とコントローラ６４とが外部タッチコントローラ６１に集積化されている。
【００５６】
静電容量検出回路６２は、入力に接続されている導電体の静電容量を検出し、検出した静電容量を示す静電容量データを生成するように構成されている。静電容量検出回路６２は、各共通電極１６の静電容量、各Ｙ検出電極４６の静電容量、及び、各共通電極１６と各Ｙ検出電極４６の間の静電容量を検出するために用いられる。
【００５７】
送信側ドライバ６３は、相互容量方式でタッチイベントの検出を行う場合に送信側電極として用いられる共通電極１６を駆動する。
【００５８】
コントローラ６４は、タッチイベント検出を行う場合の動作タイミングを制御するタイミング制御信号を静電容量検出回路６２、送信側ドライバ６３及び表示ドライバ３のコントローラ３７に供給する。加えて、コントローラ６４は、静電容量検出回路６２によって検出された静電容量（各共通電極１６の静電容量、各Ｙ検出電極４６の静電容量、及び、各共通電極１６と各Ｙ検出電極４６の間の静電容量）に基づいて表示パネル２に物体が接触した位置を算出する。表示ドライバ３には、静電容量検出回路６２をセレクタ３５に接続する接続配線６２ａと、送信側ドライバ６３をセレクタ３５に接続する接続配線６３ａとが設けられる。セレクタ３５は、コントローラ３７から受け取った制御信号に応じて、静電容量検出回路６２に接続された接続配線６２ａ、送信側ドライバ６３に接続された接続配線６３ａ、ソースドライバ回路３３に接続された接続配線３３ａのいずれかにソース出力端子３１を接続する。
【００５９】
図６の構成の表示装置１の動作は、静電容量検出回路３６及び送信側ドライバ３８の代わりに外部タッチコントローラ６１の静電容量検出回路６２及び送信側ドライバ６３が用いられ、また、外部タッチコントローラ６１のコントローラ６４によって表示パネル２に物体が接触した位置が算出されることを除けば、図４の構成の表示装置１と同じである。
【００６０】
図７は、表示装置１が、表示ドライバ３とは別に外部タッチコントローラ６１Ａを備えている構成を図示している。図６の構成では、静電容量検出回路６２によって検出された静電容量に基づいて表示パネル２に物体が接触した位置を算出するコントローラ６４が外部タッチコントローラ６１Ａに集積化されている。静電容量検出回路３６と送信側ドライバ３８は、表示ドライバ３に集積化されており、コントローラ６４は、静電容量検出回路３６及び送信側ドライバ３８にデータ／制御バス６４ａを介して接続されている。コントローラ６４は、静電容量検出回路３６によって検出された静電容量（各共通電極１６の静電容量、各Ｙ検出電極４６の静電容量、及び、各共通電極１６と各Ｙ検出電極４６の間の静電容量）を示す静電容量データをデータ／制御バス６４ａを介して静電容量検出回路３６から受け取り、受け取った静電容量データに基づいて（即ち、静電容量検出回路３６によって検出された静電容量に基づいて）表示パネル２に物体が接触した位置を算出する。また、コントローラ６４は、静電容量検出回路３６と送信側ドライバ３８とを制御する制御データをデータ／制御バス６４ａを介して送信する。
【００６１】
図７の構成の表示装置１の動作は、表示ドライバ３のコントローラ３７の代わりに外部タッチコントローラ６１のコントローラ６４によって表示パネル２に物体が接触した位置が算出されることを除けば、図４の構成の表示装置１と同じである。
【００６２】
図８は、他の実施形態の表示装置１を図示している。図８に図示された表示装置１では、表示パネル２の構成が図４に図示された表示装置１から変更されている。具体的には、図８の構成では、表示ドライバ３から離れた位置（共通電極１６を挟んで表示ドライバ３に対して反対の位置）に設けられているスイッチ回路１９及びＶＣＯＭスイッチ回路２２が表示パネル２から除去されている。図８の構成の表示装置１では、共通電極１６とソース線１７との間の電気的接続、及び、共通電極１６とＶＣＯＭ入力端子２０との間の電気的接続が弱くなるが、本質的には、図４に図示された表示装置１と同様に動作する。図８の構成は、スイッチ回路１９及びＶＣＯＭスイッチ回路２２を設ける領域が不要であり、表示パネル２の面積の低減に有用である。
【００６３】
図９は、更に他の実施形態の表示装置１を図示している。図９の構成では、（共通電極１６ではなく）ソース線１７が、タッチ検出電極として用いられる。これに伴い、表示パネル２からスイッチ回路１５、１９が除去されている。
【００６４】
図９の構成の表示装置１では、駆動動作が行われる場合、表示ドライバ３が下記のように動作する。表示ドライバ３のコントローラ３７は、スイッチ制御信号ｔｏｕｃｈ＿ｓｅｌをネゲートする。スイッチ制御信号ｔｏｕｃｈ＿ｓｅｌのネゲートに応答して、ＶＣＯＭスイッチ回路２１の各スイッチ２７がターンオンされ、これにより、各共通電極１６がＶＣＯＭアンプ３９に接続される。ＶＣＯＭアンプ３９は、各共通電極１６に共通電圧ＶＣＯＭを供給する。一方、セレクタ３５は、コントローラ３７による制御の下、ソース出力端子３１をソースドライバ回路３３の出力に接続する。これにより、表示パネル２の各ソース線１７がソースドライバ回路３３の出力に接続される。ソースドライバ回路３３は、セレクタ３５を介してソース出力端子３１からソース信号を表示パネル２の各ソース線に供給する。このような動作により、表示回路１１の各画素回路が駆動される。
【００６５】
一方、自己容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、ＶＣＯＭスイッチ回路２１の各スイッチがターンオフされる。一方、セレクタ３５は、コントローラ３７による制御の下、ソース出力端子３１を静電容量検出回路３６の入力に接続する。これにより、表示パネル２の各ソース線１７が静電容量検出回路３６の入力に接続される。静電容量検出回路３６は、各ソース線１７と各Ｙ検出電極４６の静電容量を検出し、検出した静電容量を示す静電容量データを生成する。コントローラ３７は、静電容量検出回路３６から受け取った静電容量データに基づいて（即ち、各ソース線１７と各Ｙ検出電極４６の静電容量に基づいて）、タッチイベントの検出を行う。より具体的には、コントローラ３７は、各ソース線１７の静電容量に基づいて表示パネル２に物体が接触したＸ軸方向における位置を算出し、各Ｙ検出電極４６の静電容量に基づいて、表示パネル２に物体が接触したＹ軸方向における位置を算出する。
【００６６】
また、相互容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、ＶＣＯＭスイッチ回路２１の各スイッチがターンオフされる。一方、セレクタ３５は、コントローラ３７による制御の下、ソース出力端子３１を送信側ドライバ３８の出力に接続する。送信側ドライバ３８は、セレクタ３５を介してソース出力端子３１から駆動電圧を表示パネル２の各ソース線１７に供給する。静電容量検出回路３６は、各共通電極１６と各Ｙ検出電極４６の間の静電容量を検出し、検出した静電容量を示す静電容量データを生成する。コントローラ３７は、静電容量検出回路３６から受け取った静電容量データに基づいて（即ち、各共通電極１６と各Ｙ検出電極４６の間の静電容量に基づいて）、表示パネル２に物体が接触した位置を算出する。
【００６７】
図９の構成では、ソース線１７がタッチ検出電極としても用いられるため、ソース線１７に接続されるソース入力端子１３とは別にタッチ検出電極に接続される外部接続端子を表示パネル２に設ける必要がない。したがって、インセル構成の表示パネル２の外部接続端子の数を低減することができる。
【００６８】
図１０は、更に他の実施形態の表示装置１を図示している。図１０に図示されている表示装置１の構成は、図８に図示されている表示装置１の構成と類似しているが、時分割駆動によってソース線１７が駆動される点で相違する。より具体的には、表示パネル２の１つのソース入力端子１３に対して３本のソース線１７が設けられており、該３本のソース線１７は、それぞれ、異なる色の副画素の画素回路に接続されている。
【００６９】
図１１に図示されているように、各ソース入力端子１３に対応する３本のソース線１７は、赤色の副画素に対応するソース線１７ｒと、緑色の副画素に対応するソース線１７ｇと、青色の副画素に対応するソース線１７ｂとで構成されている。ソース線１７ｒに沿って赤色の副画素の画素回路（図示されない）が配置され、赤色の副画素の画素回路は、ソース線１７ｒに接続される。同様に、ソース線１７ｇに沿って緑色の副画素の画素回路（図示されない）が配置され、緑色の副画素の画素回路は、ソース線１７ｇに接続される。また、ソース線１７ｂに沿って青色の副画素の画素回路（図示されない）が配置され、青色の副画素の画素回路は、ソース線１７ｂに接続される。
【００７０】
図１０の構成では、時分割駆動を行うために、表示パネル２にソース線選択回路２９が設けられる。図１１に図示されているように、ソース線選択回路２９は、赤色の副画素に対応するソース線１７ｒとソース入力端子１３との間に接続されたスイッチ３０ｒと、緑色の副画素に対応するソース線１７ｇとソース入力端子１３との間に接続されたスイッチ３０ｇと、青色の副画素に対応するソース線１７ｂとソース入力端子１３との間に接続されたスイッチ３０ｂとを備えている。スイッチ３０ｒ、３０ｇ、３０ｂには、それぞれ、表示ドライバ３のコントローラ３７によって生成された赤色選択信号Ｒ＿ｓｅｌ、緑色選択信号Ｇ＿ｓｅｌ、青色選択信号Ｂ＿ｓｅｌが供給される。スイッチ３０ｒは、赤色選択信号Ｒ＿ｓｅｌに応答して動作し、スイッチ３０ｇは、緑色選択信号Ｇ＿ｓｅｌに応答して動作し、スイッチ３０ｂは、青色選択信号Ｂ＿ｓｅｌに応答して動作する。表示回路１１の各画素回路の駆動においては、スイッチ３０ｒ、３０ｇ、３０ｂは、赤色選択信号Ｒ＿ｓｅｌ、緑色選択信号Ｇ＿ｓｅｌ、青色選択信号Ｂ＿ｓｅｌによる制御の下、時分割的にターンオンされる。
【００７１】
続いて、図１０、図１１に図示されている構成の表示装置１の動作について説明する。
【００７２】
駆動動作が行われる場合、表示装置１の表示ドライバ３は、下記のように動作する。表示ドライバ３のコントローラ３７は、スイッチ制御信号ｔｏｕｃｈ＿ｓｅｌをネゲートする。スイッチ制御信号ｔｏｕｃｈ＿ｓｅｌのネゲートに応答して、ＶＣＯＭスイッチ回路２１の各スイッチ２７がターンオンされ、スイッチ回路１５の各スイッチ１８がターンオフされる。これにより、各共通電極１６がＶＣＯＭアンプ３９に接続される。ＶＣＯＭアンプ３９は、各共通電極１６に共通電圧ＶＣＯＭを供給する。更に、セレクタ３５は、コントローラ３７による制御の下、ソース出力端子３１をソースドライバ回路３３の出力に接続する。
【００７３】
赤色の副画素の画素回路を駆動する場合、コントローラ３７は、赤色選択信号Ｒ＿ｓｅｌをアサートし、緑色選択信号Ｇ＿ｓｅｌ、青色選択信号Ｂ＿ｓｅｌがネゲートする。これにより、スイッチ３０ｒがターンオンされ、赤色の副画素に対応するソース線１７ｒがソース入力端子１３に接続される。ソースドライバ回路３３は、セレクタ３５を介してソース信号を表示パネル２のソース入力端子１３に供給する。このような動作により、ソース線１７ｒに接続されている画素回路（即ち、赤色の副画素の画素回路）にソース信号が供給される。
【００７４】
同様に、緑色の副画素の画素回路を駆動する場合、コントローラ３７は、緑色選択信号Ｇ＿ｓｅｌをアサートし、青色選択信号Ｂ＿ｓｅｌ、赤色選択信号Ｒ＿ｓｅｌをネゲートする。これにより、スイッチ３０ｇがターンオンされ、緑色の副画素に対応するソース線１７ｇがソース入力端子１３に接続される。ソースドライバ回路３３は、セレクタ３５を介してソース信号を表示パネル２のソース入力端子１３に供給する。このような動作により、ソース線１７ｇに接続されている画素回路（即ち、緑色の副画素の画素回路）にソース信号が供給される。
【００７５】
また、青色の副画素の画素回路を駆動する場合、コントローラ３７は、青色選択信号Ｂ＿ｓｅｌをアサートし、赤色選択信号Ｒ＿ｓｅｌ、緑色選択信号Ｇ＿ｓｅｌをネゲートする。これにより、スイッチ３０ｂがターンオンされ、青色の副画素に対応するソース線１７ｂがソース入力端子１３に接続される。ソースドライバ回路３３は、セレクタ３５を介してソース信号を表示パネル２のソース入力端子１３に供給する。このような動作により、ソース信号がソース線１７ｂに接続されている画素回路（即ち、青色の副画素の画素回路）に供給される。以上に述べられた動作により、表示回路１１の各画素回路が駆動される。
【００７６】
一方、自己容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、スイッチ回路１５の各スイッチ１８がターンオンされ、ＶＣＯＭスイッチ回路２１の各スイッチ２７がターンオフされる。これにより、表示パネル２において各共通電極１６がソース入力端子１３に接続される。一方、セレクタ３５は、コントローラ３７による制御の下、ソース出力端子３１を静電容量検出回路３６の入力に接続する。これにより、表示パネル２の各共通電極１６が静電容量検出回路３６の入力に接続される。静電容量検出回路３６は、各共通電極１６と各Ｙ検出電極４６の静電容量を検出し、検出した静電容量を示す静電容量データを生成する。コントローラ３７は、静電容量検出回路３６から受け取った静電容量データに基づいてタッチイベントの検出を行う。より具体的には、コントローラ３７は、各共通電極１６の静電容量に基づいて表示パネル２に物体が接触したＸ軸方向における位置を算出し、各Ｙ検出電極４６の静電容量に基づいて、表示パネル２に物体が接触したＹ軸方向における位置を算出する。
【００７７】
また、相互容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、スイッチ回路１５の各スイッチ１８がターンオンされ、ＶＣＯＭスイッチ回路２１、２２の各スイッチ２７がターンオフされる。これにより、表示パネル２において各共通電極１６がソース入力端子１３に接続される。一方、セレクタ３５は、コントローラ３７による制御の下、ソース出力端子３１を送信側ドライバ３８の出力に接続する。送信側ドライバ３８は、セレクタ３５を介してソース出力端子３１から駆動電圧を表示パネル２の各共通電極１６に供給する。静電容量検出回路３６は、各共通電極１６と各Ｙ検出電極４６の間の静電容量を検出し、検出した静電容量を示す静電容量データを生成する。コントローラ３７は、静電容量検出回路３６から受け取った静電容量データに基づいて（即ち、各共通電極１６と各Ｙ検出電極４６の間の静電容量に基づいて）、表示パネル２に物体が接触した位置を算出する。
【００７８】
図１２は、更に他の実施形態の表示装置１を図示している。図４に図示されている構成では、Ｙ軸方向に延伸する形状の共通電極１６がＸ軸方向に並べられていたが、図１２に図示されている構成では、共通電極５１が行列に、即ち、複数の行及び複数の列に並んで配置されている。共通電極５１は、各行においてＸ軸方向に並んで配置されており、各列においてＹ軸方向に並んで配置されている。Ｙ軸方向に延伸するソース線１７がＸ軸方向に並んで配置され、ソース線１７は、ソース入力端子１３にそれぞれに接続されている。各列の共通電極５１には複数のソース線１７が交差している。
【００７９】
本実施形態においては、行列に配置されている共通電極５１がタッチ検出電極として用いられる。留意すべきことは、タッチ検出電極として用いられる共通電極５１が行列に配置されている図１２の構成は、自己容量方式によるタッチイベントの検出に好適であるということである。上述の実施形態のように、共通電極１６とＹ検出電極４６とが交差する構成の表示パネル２において自己容量方式によるタッチイベントの検出を行う構成では、複数個所で物体が表示パネル２に接触したときに、いわゆる「ゴースト」の問題が生じ得る。本実施形態では、タッチ検出電極として用いられる共通電極５１が行列に並んで配置されているので、「ゴースト」の問題は生じない。
【００８０】
このため、図１２の構成の表示装置１では、相互容量方式によるタッチイベントの検出が行われない。本実施形態では、表示ドライバ３は、相互容量方式によるタッチイベントの検出に対応する構成を有しておらず、このため、送信側ドライバ３８を備えていない。ただし、後述のように、共通電極５１が行列に並んで配置されている構成においても、表示装置１が、相互容量方式によるタッチイベントの検出に対応するように構成されてもよい。
【００８１】
図１３は、図１２に図示されている表示装置１の表示パネル２の構成の詳細を示している。表示パネル２には、各共通電極５１についてコンタクト５２、スイッチ５３、５４が設けられている。コンタクト５２は、対応する共通電極５１に接続されている。加えて、表示パネル２は、インバータ２４とＶＣＯＭライン５５とを備えている。インバータ２４の入力は、スイッチ制御端子２３に接続されており、スイッチ制御信号ｔｏｕｃｈ＿ｓｅｌの反転信号を生成する。ＶＣＯＭライン５５は、ＶＣＯＭ入力端子２０に接続されている。図１２、図１３に図示されている構成では、ＶＣＯＭライン５５は、Ｙ軸方向に延伸するように設けられている。
【００８２】
スイッチ５３は、各共通電極５１に対応するソース線１７（各共通電極５１と交差するソース線１７）のうちの１本のソース線１７と、コンタクト５２の間に接続されている。各共通電極５１に接続されているスイッチ５３は、共通電極５１を（ソース線１７を介して）対応するソース入力端子１３に電気的に接続する機能を有している。スイッチ５３は、スイッチ制御信号ｔｏｕｃｈ＿ｓｅｌに応答して動作する。
【００８３】
スイッチ５４は、ＶＣＯＭライン５５と、コンタクト５２の間に接続されている。図１３の構成では、全ての共通電極５１は、それぞれに対応するスイッチ５４を介してＶＣＯＭライン５５に共通に接続されている。後述されるように、表示ドライバ３からＶＣＯＭ入力端子２０に供給された共通電圧ＶＣＯＭは、ＶＣＯＭライン５５及びスイッチ５４を介して各共通電極５１に供給される。スイッチ５４は、インバータ２４によって生成されるスイッチ制御信号ｔｏｕｃｈ＿ｓｅｌの反転信号に応答して動作する。
【００８４】
なお、図１３には、各共通電極５１について１つのスイッチ５３が設けられ、当該スイッチ５３を介して各共通電極５１が１本のソース線１７に接続される構成が図示されているが、各共通電極５１について複数のスイッチ５３が設けられ、各共通電極５１が、該複数のスイッチ５３を介して複数のソース線１７に接続されていてもよい。ただし、この場合でも、各ソース線１７についてみれば、各ソース線１７にスイッチ５３を介して接続される共通電極５１の数は１つであることに留意されたい。
【００８５】
続いて、図１２、図１３に図示されている構成の表示装置１の動作について説明する。
【００８６】
駆動動作が行われる場合、表示装置１の表示ドライバ３は、下記のように動作する。表示ドライバ３のコントローラ３７は、スイッチ制御信号ｔｏｕｃｈ＿ｓｅｌをネゲートする。スイッチ制御信号ｔｏｕｃｈ＿ｓｅｌのネゲートに応答して、各共通電極５１に対応するスイッチ５４がターンオンされ、各共通電極５１に対応するスイッチ５３がターンオフされる。これにより、各共通電極５１がＶＣＯＭアンプ３９に接続される。ＶＣＯＭアンプ３９は、各共通電極５１に共通電圧ＶＣＯＭを供給する。更に、セレクタ３５は、コントローラ３７による制御の下、ソース出力端子３１をソースドライバ回路３３の出力に接続する。ソースドライバ回路３３は、セレクタ３５を介してソース出力端子３１からソース信号を表示パネル２の各ソース線１７に供給する。このような動作により、表示回路１１の各画素回路が駆動される。
【００８７】
一方、自己容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、各共通電極５１に対応するスイッチ５３がターンオンされ、各共通電極５１に対応するスイッチ５４がターンオフされる。これにより、表示パネル２において各共通電極５１が対応するソース線１７を介して対応するソース入力端子１３に接続される。一方、セレクタ３５は、コントローラ３７による制御の下、ソース出力端子３１を静電容量検出回路３６の入力に接続する。これにより、表示パネル２の各共通電極５１が静電容量検出回路３６の入力に接続される。静電容量検出回路３６は、各共通電極５１の静電容量を検出し、検出した静電容量を示す静電容量データを生成する。コントローラ３７は、静電容量検出回路３６から受け取った静電容量データに基づいて（即ち、各共通電極５１の静電容量に基づいて）、タッチイベントの検出を行う。より具体的には、コントローラ３７は、各共通電極５１の静電容量に基づいて表示パネル２に物体が接触した位置を算出する。
【００８８】
上述のように、共通電極５１が行列に並んで配置されている構成においても、表示装置１が、相互容量方式によるタッチイベントの検出に対応するように構成されてもよい。図１４、図１５は、このような場合の表示装置１の構成を示している。図１４に図示されているように、表示パネル２のＹ検出電極４６は、共通電極５１の各列に対応するように設けられており、対応する列の共通電極５１と交差するように設けられている。加えて、表示ドライバ３に送信側ドライバ３８が設けられる。
【００８９】
相互容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、各共通電極５１に対応するスイッチ５３がターンオンされ、各共通電極５１に対応するスイッチ５４がターンオフされる。これにより、表示パネル２において各共通電極５１が対応するソース線１７を介して対応するソース入力端子１３に接続される。一方、セレクタ３５は、コントローラ３７による制御の下、ソース出力端子３１を送信側ドライバ３８の出力に接続する。送信側ドライバ３８は、セレクタ３５を介してソース出力端子３１から駆動電圧を表示パネル２の各共通電極５１に供給する。静電容量検出回路３６は、各共通電極５１と各Ｙ検出電極４６の間の静電容量を検出し、検出した静電容量を示す静電容量データを生成する。コントローラ３７は、静電容量検出回路３６から受け取った静電容量データに基づいて（即ち、各共通電極５１と各Ｙ検出電極４６の間の静電容量に基づいて）、表示パネル２に物体が接触した位置を算出する。
【００９０】
図１２〜図１５に図示されている構成では、全ての共通電極５１がスイッチ５４を介してＶＣＯＭライン５５に接続されているが、図１６に図示されているように、共通電極５１の各列に沿ってＶＣＯＭライン５６が設けられてもよい。ＶＣＯＭライン５６は、ＶＣＯＭ入力端子２０に接続され、共通電圧ＶＣＯＭを各共通電極５１に供給するために用いられる。
【００９１】
図１７は、この場合の表示パネル２の構成を示している。各共通電極５１について接続ノード５７が設けられ、各ＶＣＯＭライン５６は、対応する共通電極５１の列の接続ノード５７に接続される。図１６、図１７に図示された構成の表示装置１の動作が、共通電圧ＶＣＯＭを各共通電極５１に供給する経路が異なるだけで図１４、図１５に図示された構成の表示装置１と本質的には同一であることは当業者には容易に理解されよう。
【００９２】
図１８は、更に他の実施形態の表示装置１を図示している。図１８の構成の表示装置１では、図１４、図１５に図示されている構成の表示装置１と同様に、共通電極５１が行列に配置されているが、時分割駆動によってソース線１７が駆動される点で相違する。より具体的には、表示パネル２の１つのソース入力端子１３に対して３本のソース線１７が設けられており、該３本のソース線１７は、それぞれ、異なる色の副画素の画素回路に接続されている。
【００９３】
図１９に図示されているように、各ソース入力端子１３に対応する３本のソース線１７は、赤色の副画素に対応するソース線１７ｒと、緑色の副画素に対応するソース線１７ｇと、青色の副画素に対応するソース線１７ｂとで構成されている。ソース線１７ｒに沿って赤色の副画素の画素回路（図示されない）が配置され、赤色の副画素の画素回路は、ソース線１７ｒに接続される。同様に、ソース線１７ｇに沿って緑色の副画素の画素回路（図示されない）が配置され、緑色の副画素の画素回路は、ソース線１７ｇに接続される。また、ソース線１７ｂに沿って青色の副画素の画素回路（図示されない）が配置され、青色の副画素の画素回路は、ソース線１７ｂに接続される。
【００９４】
時分割駆動を行うために、表示パネル２にソース線選択回路２９が設けられる。ソース線選択回路２９は、赤色の副画素に対応するソース線１７ｒとソース入力端子１３との間に接続されたスイッチ３０ｒと、緑色の副画素に対応するソース線１７ｇとソース入力端子１３との間に接続されたスイッチ３０ｇと、青色の副画素に対応するソース線１７ｂとソース入力端子１３との間に接続されたスイッチ３０ｂとを備えている。スイッチ３０ｒ、３０ｇ、３０ｂには、それぞれ、表示ドライバ３のコントローラ３７によって生成された赤色選択信号Ｒ＿ｓｅｌ、緑色選択信号Ｇ＿ｓｅｌ、青色選択信号Ｂ＿ｓｅｌが供給される。スイッチ３０ｒは、赤色選択信号Ｒ＿ｓｅｌに応答して動作し、スイッチ３０ｇは、緑色選択信号Ｇ＿ｓｅｌに応答して動作し、スイッチ３０ｂは、青色選択信号Ｂ＿ｓｅｌに応答して動作する。
【００９５】
加えて、ソース入力端子１３のそれぞれに対応して接続ライン５８が設けられる。接続ライン５８は、各ソース入力端子１３に対応する３本のソース線１７ｒ、１７ｇ、１７ｂに沿って設けられる。共通電極５１の各列について複数の接続ライン５８が設けられており、各共通電極５１は、互いに異なる接続ライン５８に接続されている。各共通電極５１は、複数の接続ライン５８に接続され得るが、各接続ライン５８についてみれば、各接続ライン５８に接続される共通電極５１の数は１つであることに留意されたい。各接続ライン５８は、スイッチ回路１５のスイッチ１８を介して対応するソース入力端子１３に接続される。
【００９６】
続いて、図１８、図１９に図示されている構成の表示装置１の動作について説明する。
駆動動作が行われる場合、表示装置１の表示ドライバ３は、下記のように動作する。表示ドライバ３のコントローラ３７は、スイッチ制御信号ｔｏｕｃｈ＿ｓｅｌをネゲートする。スイッチ制御信号ｔｏｕｃｈ＿ｓｅｌのネゲートに応答して、ＶＣＯＭスイッチ回路２１の各スイッチ２７がターンオンされ、スイッチ回路１５の各スイッチ１８がターンオフされる。これにより、各共通電極５１がＶＣＯＭアンプ３９に接続される。ＶＣＯＭアンプ３９は、各共通電極５１に共通電圧ＶＣＯＭを供給する。更に、セレクタ３５は、コントローラ３７による制御の下、ソース出力端子３１をソースドライバ回路３３の出力に接続する。
【００９７】
赤色の副画素の画素回路を駆動する場合、コントローラ３７は、赤色選択信号Ｒ＿ｓｅｌをアサートし、緑色選択信号Ｇ＿ｓｅｌ、青色選択信号Ｂ＿ｓｅｌをネゲートする。これにより、赤色の副画素に対応するソース線１７ｒがソース入力端子１３に接続される。ソースドライバ回路３３は、セレクタ３５を介してソース信号を表示パネル２のソース入力端子１３に供給する。このような動作により、ソース線１７ｒに接続されている画素回路（即ち、赤色の副画素の画素回路）にソース信号が供給される。
【００９８】
同様に、緑色の副画素の画素回路を駆動する場合、コントローラ３７は、緑色選択信号Ｇ＿ｓｅｌをアサートし、青色選択信号Ｂ＿ｓｅｌ、赤色選択信号Ｒ＿ｓｅｌをネゲートする。これにより、緑色の副画素に対応するソース線１７ｇがソース入力端子１３に接続される。ソースドライバ回路３３は、セレクタ３５を介してソース信号を表示パネル２のソース入力端子１３に供給する。このような動作により、ソース線１７ｇに接続されている画素回路（即ち、緑色の副画素の画素回路）にソース信号が供給される。
【００９９】
また、青色の副画素の画素回路を駆動する場合、コントローラ３７は、青色選択信号Ｂ＿ｓｅｌをアサートし、赤色選択信号Ｒ＿ｓｅｌ、緑色選択信号Ｇ＿ｓｅｌをネゲートする。これにより、青色の副画素に対応するソース線１７ｂがソース入力端子１３に接続される。ソースドライバ回路３３は、セレクタ３５を介してソース信号を表示パネル２のソース入力端子１３に供給する。このような動作により、ソース信号がソース線１７ｂに接続されている画素回路（即ち、青色の副画素の画素回路）に供給される。以上に述べられた動作により、表示回路１１の各画素回路が駆動される。
【０１００】
一方、自己容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、スイッチ回路１５の各スイッチ１８がターンオンされ、ＶＣＯＭスイッチ回路２１の各スイッチ２７がターンオフされる。これにより、表示パネル２において各共通電極５１が対応するソース入力端子１３に接続される。一方、セレクタ３５は、コントローラ３７による制御の下、ソース出力端子３１を静電容量検出回路３６の入力に接続する。これにより、表示パネル２の各共通電極５１が静電容量検出回路３６の入力に接続される。静電容量検出回路３６は、各共通電極５１の静電容量を検出し、検出した静電容量を示す静電容量データを生成する。コントローラ３７は、静電容量検出回路３６から受け取った静電容量データに基づいてタッチイベントの検出を行う。より具体的には、コントローラ３７は、各共通電極５１の静電容量に基づいて表示パネル２に物体が接触した位置を算出する。
【０１０１】
また、相互容量方式によるタッチイベント検出が行われる場合、表示ドライバ３は、下記のように動作する。表示ドライバ３のコントローラ３７は、スイッチ制御信号ｔｏｕｃｈ＿ｓｅｌをアサートする。スイッチ制御信号ｔｏｕｃｈ＿ｓｅｌのアサートに応答して、スイッチ回路１５の各スイッチ１８がターンオンされ、ＶＣＯＭスイッチ回路２１、２２の各スイッチ２７がターンオフされる。これにより、表示パネル２において各共通電極５１が対応するソース入力端子１３に接続される。一方、セレクタ３５は、コントローラ３７による制御の下、ソース出力端子３１を送信側ドライバ３８の出力に接続する。送信側ドライバ３８は、セレクタ３５を介してソース出力端子３１から駆動電圧を表示パネル２の各共通電極５１に供給する。静電容量検出回路３６は、各共通電極５１と各Ｙ検出電極４６の間の静電容量を検出し、検出した静電容量を示す静電容量データを生成する。コントローラ３７は、静電容量検出回路３６から受け取った静電容量データに基づいて（即ち、各共通電極５１と各Ｙ検出電極４６の間の静電容量に基づいて）表示パネル２に物体が接触した位置を算出する。
【０１０２】
図１８、図１９の構成では、ソース線１７に加えて接続ライン５８が設けられているが、その代わりに、各共通電極５１にスイッチを個別に設ける必要が無いという利点がある。図１２〜図１７に図示されている構成では、共通電極５１のアレイの中に表示回路１１の各画素回路を避けながらスイッチ５３、５４を配置する必要がある。これは、表示パネル２のレイアウト設計を複雑化させ得る。一方、図１８、図１９の構成では、各共通電極５１とソース入力端子１３とを電気的に接続するスイッチ１８が、ソース入力端子１３の近傍にあるスイッチ回路１５に集約されているので、レイアウト設計が容易になる。
【０１０３】
以上には、本発明の実施形態が具体的に記述されているが、本発明は、上記の実施形態に限定されない。本発明が種々の変更と共に実施され得ることは、当業者には理解されよう。
【符号の説明】
【０１０４】
１        ：表示装置
２        ：表示パネル
３        ：表示ドライバ
１１      ：表示回路
１２      ：ゲートドライバ回路
１３      ：ソース入力端子
１４      ：タッチ検出電極群
１５      ：スイッチ回路
１６      ：共通電極
１７、１７ｒ、１７ｇ、１７ｂ：ソース線
１８      ：スイッチ
１９      ：スイッチ回路
２０      ：ＶＣＯＭ入力端子
２１      ：ＶＣＯＭスイッチ回路
２２      ：ＶＣＯＭスイッチ回路
２３      ：スイッチ制御端子
２４、２５：インバータ
２６、２７、２８：スイッチ
２９      ：ソース線選択回路
３０ｒ、３０ｇ、３０ｂ：スイッチ
３１      ：ソース出力端子
３２      ：パネルインタフェース回路
３３      ：ソースドライバ回路
３３ａ    ：接続配線
３４      ：タッチ検出回路
３４ａ    ：接続配線
３５      ：セレクタ
３６      ：静電容量検出回路
３７      ：コントローラ
３８      ：送信側ドライバ
３９      ：ＶＣＯＭアンプ
４１      ：ＴＦＴ基板
４２      ：対向基板
４３      ：液晶
４４      ：ガラス基板
４５      ：半導体回路
４６      ：Ｙ検出電極
５１      ：共通電極
５２      ：コンタクト
５３、５４：スイッチ
５５、５６：ＶＣＯＭライン
５７      ：接続ノード
５８      ：接続ライン
６１、６１Ａ：外部タッチコントローラ
６２      ：静電容量検出回路
６２ａ    ：接続配線
６３      ：送信側ドライバ
６３ａ    ：接続配線
６４      ：コントローラ
６４ａ    ：制御バス
【図１】
2018063666.tif 000003
【図２】
2018063666.tif 000004
【図３】
2018063666.tif 000005
【図４】
2018063666.tif 000006
【図５】
2018063666.tif 000007
【図６】
2018063666.tif 000008
【図７】
2018063666.tif 000009
【図８】
2018063666.tif 000010
【図９】
2018063666.tif 000011
【図１０】
2018063666.tif 000012
【図１１】
2018063666.tif 000013
【図１２】
2018063666.tif 000014
【図１３】
2018063666.tif 000015
【図１４】
2018063666.tif 000016
【図１５】
2018063666.tif 000017
【図１６】
2018063666.tif 000018
【図１７】
2018063666.tif 000019
【図１８】
2018063666.tif 000020
【図１９】
2018063666.tif 000021